(57)【要約】【課題】  運搬時において破損等を招くことがなく、また体力的、スペース的あるいは経済的なロスを発生させないようにした現金収納カセットを提供する。【解決手段】  入金装置に着脱可能で売上金を収納する紙幣現金収納カセット１１６の底部１１６ａにフック部２１とフック受け部２２が設けるとともに、紙幣収納カセット１１６の右側面部１１６ｄおよび左側面部１１６ｅに、ロック受け部２３およびロックレバー部２４を設ける。フック部２１を他の紙幣収納カセット１１６のフック受け部２２と係止することにより両カセットが位置決めされ、またロック受け部２３を他の紙幣収納カセット１１６のロックレバー部２４に係止することにより両カセットが連結固定される。【選択図】  図１
2006235988.tif 000002
【特許請求の範囲】
【請求項１】
入金装置に着脱可能で売上金を収納する媒体収納カセットにおいて、
他の媒体収納カセットと連結した状態で位置固定するための位置固定部材と、
他の媒体収納カセットと連結した状態で互いに係止するための係止部材とを設けたことを特徴とする媒体収納カセット。
【請求項２】
前記係止部材は、側面部の一端部に形成されるロック受け部と他端部に形成され前記ロック受け部と係合するロックレバー部とで構成される請求項１記載の媒体収納カセット。
【請求項３】
前記位置固定部材は、底面部の一端部に形成されるフック部と他端部に形成されるフック受け部とで構成される請求項１または２記載の媒体収納カセット。
【請求項４】
前記位置固定部材は、一側面部に形成される凸部と前記一側面部の反対側の面に形成され前記凸部と嵌め合う凹部とで構成される請求項１または２記載の媒体収納カセット。
【発明の詳細な説明】
【技術分野】
【０００１】
本発明は、スーパーマーケットをはじめとする小売店等の店舗に設置された入金装置に装着される媒体収納カセットに関する。
【背景技術】
【０００２】
従来、スーパーマーケットをはじめとする小売店等の店舗によっては、売上金を入金する機能を有する入金装置が設置されている。入金装置には現金収納カセットが装着されており、店の売上金を集計して現金収納カセット内に収納する。現金収納カセットは入金装置に対して着脱可能になっており、売上金が収納された現金収納カセットは入金装置から取り外されて、資金管理センタへ運搬されるようになっている。
【０００３】
現金収納カセットの取扱管理は警備保障会社に委託されている場合が多い。この場合警備保障会社の担当者は、資金管理センタで予め中身の確認された空の現金収納カセットを受け取り、この現金収納カセットを小売店に持ち込み、店舗内の入金装置に装着してある現金収納カセットを取り外し、持ち込んだ空の現金収納カセットを入金装置に装着して交換する。そして取り外した現金収納カセットを資金管理センタへ搬送する。このようなシステムを示すものとして例えば、特開平１０−１８８１３５号公報に開示されるものがある。
【特許文献１】特開平１０−１８８１３５号公報
【発明の開示】
【発明が解決しようとする課題】
【０００４】
現金収納カセットには売上金が収納されるが、売上金の額は曜日や特売日か否か等により異なり、現金収納カセット内に収納される現金の収納量が異なって、現金の収納量が少ない場合、現金収納カセット内に空スペースができる。また警備保障会社の担当者は一度に多くの現金収納カセットを搬送する場合がある。そのため、現金収納カセットの収納量が区々である場合は、搬送時に平積み状態にしてある現金収納カセットが十分な安定を得られずに、荷崩れを起こす惧れがあるという問題があった。
【０００５】
また搬送中に現金収納カセット同士が干渉し合い、現金収納カセットが損傷する惧れもあった。そのため警備保障会社の担当者は、現金収納カセットを運搬する際に専用のトランクを使用しており、現金収納カセットをトランクの中に入れて運搬しているが、このような方法は体力的、スペース的あるいは経済的ロスを招き、改善が望まれる。
【０００６】
そこで本発明は、運搬時において破損等を招くことがなく、また体力的、スペース的あるいは経済的なロスを発生させないようにした媒体収納カセットを提供することを目的とする。
【課題を解決するための手段】
【０００７】
上記課題を解決するために本発明は、入金装置に着脱可能で売上金を収納する媒体収納カセットにおいて、他の媒体収納カセットと連結した状態で位置固定するための位置固定部材と、他の媒体収納カセットと連結した状態で互いに係止するための係止部材とを設けたことを特徴とするものである。
【発明の効果】
【０００８】
本発明によれば、媒体収納カセットに位置固定部材および係止部材を設けたことにより、他の媒体収納カセットと互いに連結固定させることが可能となり、搬送時に荷崩れが発生せず、干渉による損傷も発生せず、さらにトランクを使用する必要も無くなる。
【発明を実施するための最良の形態】
【０００９】
以下、本発明の実施の形態を図面にしたがって説明する。各図面に共通する要素には同一の符号を付す。図１は本発明の第１の実施の形態の紙幣収納カセットを示す側面図、図２は第１の実施の形態の紙幣収納カセットを示す底面図である。なお本実施の形態では媒体収納カセットとして紙幣収納カセットを例に説明するが、最初に紙幣収納カセットが装着される入金装置について図３、図４により説明する。図３は入金装置が接続されるシステムを示す概略ブロック図、図４は入金装置を示すブロック図である。
【００１０】
図３において、入金装置１は通信回線２を介して複数のレジスター端末機３に接続されている。図３においては、テナント店４ａはレジスター端末機Ａ１とレジスター端末機Ａ２を運用管理し、テナント店４ｂはレジスター端末機Ｂ１とレジスター端末機Ｂ２を運用管理している。入金装置１には帳票プリンタ１０が接続され、売上日報等を印刷出力する。
【００１１】
次に図４により入金装置の内部構成を説明する。図４において、入金装置１は、紙幣処理部１１、硬貨処理部１２、操作表示部１３、記憶部１４、制御部１５を有している。紙幣処理部１１は、入金される紙幣を処理するもので、接客口１１１、分離部１１２、認識部１１３、一時保留部１１４、仕分部１１５、紙幣収納カセット１１６および釣銭準備金収納部１１７を有している。
【００１２】
操作表示部１３は、入金操作時の案内を文字や記号あるいはイラストや動画像により表示するとともに、表示画面上に赤外線等をマトリックス状に走査させたタッチパネル式の入力部で構成される。操作表示部１３にはカード読取部１３１が接続されており、管理者のＩＤ情報が記憶されたＩＤカードからＩＤ情報を読み出すことができるようになっている。
【００１３】
記憶部１４は、処理プログラムが記憶されたＲＡＭやハードディスクなどで構成される。記憶部１４には、紙幣処理部１１や硬貨処理部１２で計数した金銭情報などが格納される。制御部１５は、以上の各部を制御するものである。入金装置１にはその他に、各部に電力を供給する電源部や帳票プリンタ１０の接続口なども設けられているが、これらについては説明を省略する。
【００１４】
次に紙幣処理部１１の動作を簡単に説明する。レジスター端末機３の責任者が売上金（紙幣）を接客口１１１から入金すると、入金された紙幣は分離部１１２で１枚ずつに分離され、認識部１１３へ送られる。認識部１１３では搬送されてくる紙幣の真偽、金種等を判定し、真券と判定された紙幣は一時保留部１１４へ搬送され、偽券と判定された紙幣または重送が検出された紙幣は接客口１１へ戻される。
【００１５】
一時保留部１１４へ送られた紙幣の合計金額が操作表示部１３に表示され、表示された金額を責任者が確認すると、一時保留部１１４内の紙幣は仕分部１１５へ送られる。仕分部１１５は、一時保留部１１４から送られてきた紙幣を、制御部１５の指示により、紙幣収納カセット１１６または釣銭準備金収納部１１７へ送り込む。紙幣収納カセット１１６または釣銭準備金収納部１１７は、紙幣を金種別に積層収納する。なお硬貨処理部１２についても、詳しい説明はしないが、紙幣処理部１１と同等な機能が設けられており、紙幣処理と同様に硬貨が処理される。
【００１６】
次に紙幣収納カセットについて説明する。図１、図２において、紙幣収納カセット１１６の底部１１６ａには位置固定部材としてのフック部２１とフック受け部２２が設けられている。フック部２１は紙幣収納カセット１１６の前側面１１６ｂから突出するように設けられ、先端部には上方に突出した鉤部２１ａが形成されている。また図２に示すように、フック部２１は先細に形成されており、紙幣収納カセット１１６を入金装置１に装着する際のガイドの役目を果たせるようになっている。なお紙幣収納カセット１１６は前側面１１６ｂ側から入金装置１に装着される。またフック受け部２２は紙幣収納カセット１１６の後側面１１６ｃ側に形成され、奥側にはフック部２１の鉤部２１ａが入り込めるように鉤穴部２２ａが形成されている。
【００１７】
紙幣収納カセット１１６の右側面部１１６ｄおよび左側面部１１６ｅの後側面１１６ｃ側の端部には、ロック受け部２３が設けられ、また右側面部１１６ｄおよび左側面部１１６ｅの前側面１１６ｂ側の端部には、ロックレバー部２４が設けられている。ロック受け部２３は横方向にスライド可能で、後側面１１６ｃ側に鉤部２３ａが形成されている。そして鉤部２３ａ側が外側に向けて所定角度だけ開閉可能になっている。ロック受け部２３は常に前側面１１６ｂ側に付勢されており、また鉤部２３ａは常に閉じる方向に付勢されている。ロックレバー部２４はロック受け部２３の鉤部２３ａが係止されるものである。即ち、ロック受け部２３およびロックレバー部２４で係止部材を構成する。
【００１８】
紙幣収納カセット１１６の上部には上蓋部２５が形成されている。上蓋部２５の両側面部には軸２６が設けられ、軸２６に取っ手２７が回転可能に取付けられている。この取っ手２７により紙幣収納カセット１１６は楽に持ち運びが可能である。また図示していないが、紙幣収納カセット１１６には紙幣投入口が形成されており、この紙幣投入口を通して入金装置１から紙幣が収納されるようになっている。
【００１９】
次に本実施の形態における紙幣収納カセットの搬送作業について説明する。警備保障会社の担当者は、資金管理センタで予め中身を確認された空の紙幣収納カセット１１６を受け取る。この場合は担当者は複数台の紙幣収納カセット１１６を受け取り、複数箇所の店舗へ搬送するものとする。まず担当者は、１つの紙幣収納カセット１１６のフック部２１を別の紙幣収納カセット１１６のフック受け部２２に係合させる。この場合、フック部２１をフック受け部２２に対して下方から嵌め込むようにする。これにより両カセットが位置固定される。
【００２０】
次に担当者は、上記別の紙幣収納カセット１１６のロック受け部２３の鉤部２３ａを、上記紙幣収納カセット１１６のロックレバー部２４に係止する。このとき両側の鉤部２３ａともロックレバー部２４に係止し、これにより２台の紙幣収納カセット１１６が互いにロックされる。さらに別の紙幣収納カセット１１６を継ぎ足す場合には上記と同様の手順でロック状態に接続する。図５は３台の紙幣収納カセット１１６が互いに連結してロックされた状態を示す。
【００２１】
複数の紙幣収納カセット１１６を互いに連結してロックした状態で、担当者は、小売店等の店舗へ運搬する。運搬する際、運搬車に、フック部２１およびロックレバー部２４またはフック受け部２２およびロック受け部２３を設けることにより、連結した紙幣収納カセット１１６の１台を運搬車に固定する。これにより運搬時における紙幣収納カセット１１６の破損を防止することができる。入金装置の設置してある店舗に到着すると、担当者は、まずロック状態に連結されている複数の紙幣収納カセット１１６のうちの１台を、ロック受け部２３の鉤部２３ａをロックレバー部２４から外すことにより切り離す。そして切り離した１台の紙幣収納カセット１１６を取っ手２７を持って入金装置１のところへ持ち運ぶ。
【００２２】
担当者は、入金装置１に既に装着されている紙幣収納カセット１１６を装置から取り外し、持ち込んだ空の紙幣収納カセット１１６を入金装置１に装着する。装着する際に、紙幣収納カセット１１６のフック部２１がガイドする役目を果たす。取り外した紙幣収納カセット１１６は取っ手２７を持つことにより運搬車まで持ち運ばれる。
【００２３】
運搬車まで持ち運ばれた紙幣収納カセット１１６は、資金管理センタでの係止動作と同様に、該紙幣収納カセット１１６のフック部２１を他の紙幣収納カセット１１６のフック受け部２２に係合させた後、該他の紙幣収納カセット１１６のロック受け部２３の鉤部２３ａを、上記紙幣収納カセット１１６のロックレバー部２４に係止する。またはこの逆に、上記他の紙幣収納カセット１１６のフック部２１を上記紙幣収納カセット１１６のフック受け部２２に係合させた後、上記紙幣収納カセット１１６のロック受け部２３の鉤部２３ａを、上記他の紙幣収納カセット１１６のロックレバー部２４に係止する。そして連結した紙幣収納カセット１１６のうちの１台を、上記と同様に運搬車に固定する。
【００２４】
担当者は、ロック状態に連結された複数台の紙幣収納カセット１１６をその状態で資金管理センタまで運搬する。このとき紙幣収納カセット１１６は、他の紙幣収納カセット１１６と連結固定された状態で運搬されるので、かつ運搬車に固定された状態で運搬されるので、運搬車が揺れても紙幣収納カセット１１６同士が衝突して損傷することがなく、また整列した状態になっているので、積載スペースも効率化される。
【００２５】
警備保障会社の担当者が店舗から回収した紙幣収納カセット１１６を資金管理センタへ持ち込むと、資金管理センタの担当者は、持ち込まれた紙幣収納カセット１１６から紙幣Ｐを回収する回収作業を行う。資金管理センタの担当者は、まず、互いに連結されている紙幣収納カセット１１６のうちの１台を、ロック受け部２３の鉤部２３ａをロックレバー部２４から外すことにより切り離す。
【００２６】
そして紙幣収納カセット１１６から紙幣を取り出し、紙幣の回収を行う。すべての紙幣が取り出されると回収作業を終了するが、その後空の紙幣収納カセット１１６を互いに連結しておくようにしてもよい。このようにすれば、再びすぐに小売店等の店舗に持ち込み可能となる。
【００２７】
以上のように第１の実施の形態によれば、フック部２１とフック受け部２２およびロック受け部２３とロックレバー部２４を設けて、複数台の紙幣収納カセット１１６を互いに連結するようにしたので、運搬時にトランクを必要とすることなく、また運搬中に衝突による損傷の発生を防止できるとともに、積載スペースも小さくできる効果がある。
【００２８】
図６は本発明の第２の実施の形態の紙幣収納カセットを示す側面図、図７は第２の実施の形態の紙幣収納カセットを示す正面図、図８は第２の実施の形態の紙幣収納カセットを示す切欠き側面図である。これらの図において、第２の実施の形態の紙幣収納カセット１１６には、第１の実施の形態と同様に、右側面部１１６ｄおよび左側面部１１６ｅの後側面１１６ｃ側の端部に、ロック受け部２３が設けられ、また右側面部１１６ｄおよび左側面部１１６ｅの前側面１１６ｂ側の端部に、ロックレバー部２４が設けられている。
【００２９】
また同様に、ロック受け部２３は横方向にスライド可能で、後側面１１６ｃ側に鉤部２３ａが形成されている。そして鉤部２３ａ側が外側に向けて所定角度だけ開閉可能になっている。ロック受け部２３は常に前側面１１６ｂ側に付勢されており、また鉤部２３ａは常に閉じる方向に付勢されている。ロックレバー部２４はロック受け部２３の鉤部２３ａが係止されるものである。
【００３０】
紙幣収納カセット１１６の前側面１１６ｂには、図７に示すように、凹部２８がＸ形状に形成されている。また後側面１１６ｃには、凹部２８と同形状の凸部２９が形成されている。凸部２９は凹部２８に嵌入可能であり、凸部２９が凹部２８に嵌入することにより、紙幣収納カセット１１６が互いに横方向にずれない構成となっている。凹部２８および凸部２９とで位置固定部材を構成する。
【００３１】
また紙幣収納カセット１１６の前側面１１６ｂには、紙幣投入口３０が形成されており、この紙幣投入口３０を通して入金装置１から紙幣が収納されるようになっている。その他の構成は第１の実施の形態と同様である。なお第１の実施の形態で示したフック部およびフック受け部は第２の実施の形態では設けられていない。
【００３２】
紙幣収納カセット１１６は運搬する場合、別の紙幣収納カセット１１６と連結される。即ち、一方の紙幣収納カセット１１６の凸部２９を別の紙幣収納カセット１１６の凹部２８に嵌め込み、このように位置固定された状態で上記一方の紙幣収納カセット１１６のロック受け部２３の鉤部２３ａを、上記別の紙幣収納カセット１１６のロックレバー部２４に係止する。図９に紙幣収納カセットを３台連結した状態を示す。このように連結することにより、両方の紙幣収納カセット１１６は互いにずれることなく、連結係止される。したがって上記第１の実施の形態と同様の効果が得られる。
【００３３】
上記の凹部２８および凸部２９の形状はＸ形状に限定されるものではなく、互いにずれることなく嵌入すれば他の形状でもよいことは勿論である。また凹部２８および凸部２９を１箇所にだけ設けるのではなく、複数箇所に設けるようにしてもよい。
【００３４】
上記各実施の形態では収納カセットとして紙幣を収納するカセットを例に説明したが、収納されるものは紙幣に限定されない。例えば、書類などの郵便物等を収納するカセットにも適用可能であり、さらには飲食物の食材や原材料など宅配可能なものを収納可能なカセットに適用可能である。
【図面の簡単な説明】
【００３５】
【図１】第１の実施の形態の紙幣収納カセットを示す側面図である。
【図２】第１の実施の形態の紙幣収納カセットを示す底面図である。
【図３】入金装置が接続されるシステムを示す概略ブロック図である。
【図４】入金装置を示すブロック図である。
【図５】第１の実施の形態の紙幣収納カセットが互いにロックされた状態を示す側面図である。
【図６】第２の実施の形態の紙幣収納カセットを示す側面図である。
【図７】第２の実施の形態の紙幣収納カセットを示す正面図である。
【図８】第２の実施の形態の紙幣収納カセットを示す切欠き側面図である。
【図９】第２の実施の形態の紙幣収納カセットを連結した状態を示す切欠き側面図である。
【符号の説明】
【００３６】
２１  フック部
２２  フック受け部
２３  ロック受け部
２４  ロックレバー部
２８  凹部
２９  凸部
１１６  紙幣収納カセット
【図１】
2006235988.tif 000003
【図２】
2006235988.tif 000004
【図３】
2006235988.tif 000005
【図４】
2006235988.tif 000006
【図５】
2006235988.tif 000007
【図６】
2006235988.tif 000008
【図７】
2006235988.tif 000009
【図８】
2006235988.tif 000010
【図９】
2006235988.tif 000011